(57)【特許請求の範囲】
【請求項１】
前面吸込口、上面吸込口および下部吹出口を備えた前面パネル、および内部に熱交換器と送風ファンを備えたケーシングで構成される本体と、前記前面パネルに開閉自在に支持され前記前面吸込口を開閉する開閉パネルとを備え、
前記前面パネルの外側壁に、前記前面パネルの正面壁よりも前方へせり出したせり出し部を設け、該せり出し部は、前端部と該前端部から前記正面壁に向けた内側壁を有し、該せり出し部の前記前端部と前記内側壁との間に第１のテーパ部を設け、
前記開閉パネルに、前記開閉パネルの正面部の側端面より内側奥方向に位置する側壁を立設し、前記開閉パネルの前記側壁と前記前面パネルの内側壁との間に合わせ目を形成し、
前記開閉パネルの前記側壁に前記側端面に繋がり且つ前記第１のテーパ部と対面するように傾斜させた第２のテーパ部を設け、前記開閉パネルの前記正面部と前記側壁との間の外角を第１の角部とし、前記前面パネルの前記第１のテーパ部と前記内側壁との間の角を第２の角部とし、正面からみて、前記第１の角部が前記第１のテーパ部の一部と重合し、側面からみて、前記前面パネルの前記せり出し部の前記前端部が前記第２のテーパ部の一部と重合するようにしたことを特徴とする空気調和機の室内機。
【請求項２】
請求項１に記載の空気調和機の室内機において、
前記開閉パネルの前記正面部が前記前面パネルの前記せり出し部の前記前端部よりも前方に位置することを特徴とする空気調和機の室内機。
【請求項３】
請求項１又は２に記載の空気調和機の室内機において、
前記開閉パネルの側壁の奥端が、前記前面パネルの前記第２の角部よりも奥側に位置することを特徴とする空気調和機の室内機。
【請求項４】
請求項１、２又は３に記載の空気調和機の室内機において、
前記開閉パネルの前記第２のテーパ部における、前記第１の角部の側に位置する頂部が、前記開閉パネルの正面部と前記第１の角部より所定距離だけ奥方向にずれた位置になるように形成されていることを特徴とする空気調和機の室内機。
【発明の詳細な説明】
【技術分野】
【０００１】
本発明は、前面パネルと開閉パネルとの合わせ目に生じる隙間を隠した空気調和機の室内機の前面パネルと開閉パネルの組み立て構造に関する。
【背景技術】
【０００２】
昨今、室内の壁面に取り付けられる空気調和機の室内機は、設置する室内空間に調和するデザインが好まれている。そのため、本体色には、室内の壁紙に多く使われている白色やベージュ色などの明度の高い色が採用されている。また、形態においては、吸込口や吹出口による凹凸の存在が目立つことで室内空間に違和感を与えることがないように、運転停止時に吸込口をフラットな開閉パネルで閉じ、吹出口を風向板で塞ぐものが多くなってきている。
【０００３】
この空気調和機の室内機は、上面吸込口を備えるとともに前面上部に前面吸込口を備え前面下部に吹出口を備えた前面パネルと、内部に熱交換器と送風ファンを備えたケーシングとで本体が構成され、その前面パネルの正面部に装着され前面吸込口を開閉する開閉パネルと、吹出口を開閉する風向板とで外郭が構成されている。
【０００４】
運転時は、開閉パネルが回動して前面吸込口を開くことで、その前面吸込口から空気を吸い込むとともに上面吸込口からも空気を吸い込み、また風向板が回動することで吹出口から熱交換した後の空気を室内空間に吹き出す。運転停止時は、開閉パネルと風向板が元の位置に回動することで、外観が凹凸の無いフラットな形状となり、室内空間に調和するデザインが得られる。しかしながら、前面パネルと開閉パネルを合わせることにより、隙間が生じる。その隙間を目立たなくする方法が提案されている。
【０００５】
その１つとして、前面パネルと開閉パネルとの合わせ目の隙間の奥に飾り板を配置して、隙間を飾り板で意識させないようにして、美観を保つようにした空気調和機の室内機が提案されている（特許文献１）。
【０００６】
また、開閉パネルの外縁が前面パネルの内縁の上側に重なるようにして、前面パネルと開閉パネルの合わせ目が正面部に現れないようした空気調和機の室内機も提案されている（特許文献２）。
【０００７】
さらに、開閉パネルの側面が前面パネルに重なるように、その開閉パネルを構成することで、前面パネルと開閉パネルの合わせ目に生じる隙間を隠し、意匠効果を向上させた空気調和機の室内機も提案されている（特許文献３）。
【先行技術文献】
【特許文献】
【０００８】
【特許文献１】特開２０１０−０６５９５６号公報
【特許文献２】特開２００５−２９９９７５号公報
【特許文献３】特開２００９−１１５３９０号公報
【発明の概要】
【発明が解決しようとする課題】
【０００９】
しかし、特許文献１に記載の空気調和機の室内機は、その飾り板により隙間に意匠性を持たせてあるが、前面パネルと開閉パネルの合わせ目の隙間を隠すものではない。
【００１０】
また、特許文献２に記載の空気調和機の室内機は、合わせ目の隙間は見えないが、正面部から見ると、開閉パネルと前面パネルの段差が目立ち、室内空間に調和したデザインとは言い難い。
【００１１】
さらに、特許文献３に記載の空気調和機の室内機は、開閉パネルが本体装置よりも大きい幅をもつことになり、本体装置の側面に段差が生じ、側面から見た場合に、室内に調和したデザインとは言い難くなる。
【００１２】
本発明の目的は、前面パネルと開閉パネルとの合わせ目に生じる隙間を隠すことで意匠効果を向上させ、室内空間に調和する空気調和機の室内機を提供することである。
【課題を解決するための手段】
【００１３】
上記目的を達成するために、請求項１にかかる発明の空気調和機の室内機は、前面吸込口、上面吸込口および下部吹出口を備えた前面パネル、および内部に熱交換器と送風ファンを備えたケーシングで構成される本体と、前記前面パネルに開閉自在に支持され前記前面吸込口を開閉する開閉パネルとを備え、前記前面パネルの外側壁に、前記前面パネルの正面壁よりも前方へせり出したせり出し部を設け、該せり出し部は、前端部と該前端部から前記正面壁に向けた内側壁を有し、該せり出し部の前記前端部と前記内側壁との間に第１のテーパ部を設け、前記開閉パネルに、前記開閉パネルの正面部の側端面より内側奥方向に位置する側壁を立設し、前記開閉パネルの前記側壁と前記前面パネルの内側壁との間に合わせ目を形成し、前記開閉パネルの前記側壁に前記側端面に繋がり且つ前記第１のテーパ部と対面するように傾斜させた第２のテーパ部を設け、前記開閉パネルの前記正面部と前記側壁との間の外角を第１の角部とし、前記前面パネルの前記第１のテーパ部と前記内側壁との間の角を第２の角部とし、正面からみて、前記第１の角部が前記第１のテーパ部の一部と重合し、側面からみて、前記前面パネルの前記せり出し部の前記前端部が前記第２のテーパ部の一部と重合するようにしたことを特徴とする。
【００１４】
請求項２にかかる発明は、請求項１に記載の空気調和機の室内機において、前記開閉パネルの前記正面部が前記前面パネルの前記せり出し部の前記前端部よりも前方に位置することを特徴とする。
【００１５】
請求項３にかかる発明は、請求項１又は２に記載の空気調和機の室内機において、前記開閉パネルの側壁の奥端が、前記前面パネルの前記第２の角部よりも奥側に位置することを特徴とする。
【００１６】
請求項４にかかる発明は、請求項１、２又は３に記載の空気調和機の室内機において、前記開閉パネルの前記第２のテーパ部における、前記第１の角部の側に位置する頂部が、前記開閉パネルの正面部と前記第１の角部より所定距離だけ奥方向にずれた位置になるように形成されていることを特徴とする。
【発明の効果】
【００１７】
請求項１にかかる発明によれば、開閉パネルが前面パネルの前面を閉じている運転停止時は、正面および側面からみて、前面パネルと開閉パネルの合わせ目の隙間が隠れる。また、請求項２にかかる発明によれば、正面中央から斜めにみてその隙間が開閉パネルによって隠れる。また、請求項３にかかる発明によれば、斜め外側前方からみても、奥部の隙間は見え難くなる。また、請求項４にかかる発明によれば、頂部をパーティングラインにするので、第２のテーパ部を容易に成型することができる。
【図面の簡単な説明】
【００１８】
【図１】本実施例の空気調和機の室内機の運転停止時の斜視図である。
【図２】本実施例の空気調和機の室内機の運転時の斜視図である。
【図３】本実施例の空気調和機の室内機のフィルター交換時の斜視図である。
【図４】本実施例の空気調和機の室内機の分解斜視図である。
【図５】図１のＡ-Ａ線の部分端面図である。
【発明を実施するための形態】
【００１９】
図１〜図４において、１は室内機、１０は前面パネル、２０は吸込グリル、３０は開閉パネル、４０はフィルター、５０は開閉パネル駆動機構、６０は風向板、７０はケーシングを示す。前面パネル１０は、正面壁１１に前面吸込口１２Ａを備えるとともに上面に上面吸込口１２Ｂを備え、前面下部に吹出口１３を備えている。そして、前面パネル１０と内部に熱交換器および送風ファンを備えたケーシング７０とで本体が構成されている。開閉パネル３０は、前面パネル１０の正面部に装着され、開閉パネル駆動機構５０により前面吸込口１２Ａを開閉する。この開閉パネル３０と、前面パネル１０の吹出口１３を開閉する風向板６０とで外郭が構成されている。
【００２０】
運転停止時は、図１に示すように、吸込グリル２０および開閉パネル３０が重なった状態で吸込口１２Ａを閉じ、風向板６０により吹出口１３を閉じていることで、外観がフラットな形状となり、室内空間に調和するデザインとなる。また、運転時は、図２に示すように、開閉パネル３０のみが斜め上方向にスライドして、前面パネル１０の吸込口１２Ａを開き、また風向板６０を回動させて吹出口１３を開き、前面吸込口１２Ａと上面吸込口１２Ｂから吸い込み熱交換器で熱交換した後の空気を吹出口１３から風向板６０で風向を制御して吹き出す。
【００２１】
フィルター４０は前面パネル１０の開口部に沿って挿入されるようになっており、前面吸込口１２Ａと上面吸込口１２Ｂの裏面を覆う。このフィルター４０は、取り外して清掃するものであり、そのフィルター交換時は、図３に示すように、吸込グリル２０と開閉パネル３０が一体となって上端を支点に上方向に回動され、前面吸込口１２Ａと上面吸込口１２Ｂの裏面に装着されたフィルター４０の取り外し／取り付けが可能となる。
【００２２】
吸込グリル２０の背面には、図４に示すように、開閉パネル３０を駆動させる開閉パネル駆動機構５０が備わっている。この開閉パネル駆動機構５０の上アーム５１は、吸込グリル２０に設けられた開口部２３を通って、開閉パネル３０の背面の軸受（図示せず）に軸支されている。開閉パネル駆動機構５０の下アーム５２は、一方が開閉パネル３０、他方が吸込グリル２０に軸支されている。開閉パネル３０の動きに伴い、下アーム５２も動く。そして、モータ５３の回転により回転軸５４が回転して上アーム５１が回転すると、吸込グリル２０に対して開閉パネル３０が上方に移動し、図２に示す状態となる。このとき、開閉パネル３０は下アーム５２にも軸支されているので、その開閉パネル３０の下部が下アーム５２により規制され、ぐらつくことはない。
【００２３】
フィルター４０を取り出す時は、吸込グリル２０の左右の上端の軸２４が前面パネル１０の左右の軸受１８に軸支されているので、そこを支点にして上方に持ち上げて回転させる。このとき、開閉パネル駆動機構５０は吸込グリル２０に設けられているので、開閉パネル３０と駆動機構５０も合わせて回転し、図３に示す状態となる。
【００２４】
図５に図１（運転停止時）のＡ−Ａ線の部分端面を示す。前面パネル１０は、外側壁１４から内側に向けて順に、前方へのせり出し部１５と溝部１６が形成されている。せり出し部１５は、前方（図５の下方）に突出する前端部１５ａと溝部１６へ向かって傾斜した第１のテーパ部１５ｂと溝部１６の一方の壁となる内側壁１５ｃとからなっている。一方、開閉パネル３０は、開閉パネル３０の正面部３２の側端面３３０より内側奥方向に位置し、前面パネル１０の奥方向（図５の上方向）に伸びる側壁３１を立設している。また、吸込みグリル２０も、この溝部１６の奥方向に、開閉パネル３０と同程度の長さだけ伸びる側壁２１を有している。前面パネル１０のせり出し部１５と開閉パネル３０の側壁３１との間が、前面パネル１０と開閉パネル３０の正面を向く合わせ目となり、隙間Ｇが形成されている。開閉パネル３０の正面部３２は、前面パネル１０のせり出し部１５の先端部１５ａよりも前方（図５の下方）に位置する。
【００２５】
前面パネル１０の第１のテーパ部１５ｂは、前記合わせ目の隙間Ｇの方向を向いている。また、開閉パネル３０には、側壁３１と正面部３２との間の第１の角部３３から所定距離だけ奥方向にずれた頂部３４を前端として、そこから、その奥方向に向けて、前記合わせ目の隙間Ｇの方向、つまり、前記の第１のテーパ部１５ｂと対面するように傾斜させた、第２のテーパ部３１ａが形成されている。第２のテーパ部３１ａは第１テーパ部１５ｂよりも、その傾斜角度が小さくなっている。
【００２６】
そして、開閉パネル３０の側壁３１の奥端３１ｂは、前面パネル１０の第１のテーパ部１５ｂと内側壁１５ｃとの間の第２の角部１７よりも奥側に位置している。また、開閉パネル３０の第１の角部３３と頂部３４を含む側端面３３０は、正面から見て、第１のテーパ部１５ｂの一部と重合するように、第１のテーパ部１５ａの方向に張り出ている。また、頂部３４は、開閉パネル３０の樹脂成型時のパーティングライン（ＰＬ）となっている。つまり、開閉パネル３０は、この頂部３４を境に分割された上型と下型によって樹脂成型される。上型が上方向に抜かれることにより、第２のテーパ部３１ａが形成される。なお、側面から見て、前面パネル１０の先端部１５ａは開閉パネル３０の第２のテーパ部３１ａに重合している。
【００２７】
したがって、図１のように、開閉パネル３０が前面パネル１０の正面部を閉じている運転停止時は、図５の矢印Ｂ１で示すように正面から見た場合、前面パネル１０と開閉パネル３０の合わせ目の隙間Ｇが、開閉パネル３０の外側に張り出た側端面３３０によって隠れる。また、矢印Ｂ２で示すように正面中央から斜めに見た場合、開閉パネル３０の第１の角部３３によって合わせ目が隠れる。また、矢印Ｂ３で示すように斜め外側前方から見た場合、第１および第２のテーパ部１５ｂ，３１ａや開閉パネル３０の側壁３１が見えるが、その第１および第２のテーパ部１５ｂ，３１ａは傾斜しているため境目がなく、前面パネル１０の第２の角部１７によって奥部の隙間Ｇは見え難くなる。さらに、矢印Ｂ４で示すように側面から見た場合、隙間Ｇは見えなくなる。
【００２８】
以上のように、本実施例の空気調和機の室内機は、前面パネル１０と開閉パネル３０の合わせ目の隙間Ｇが、正面、斜面、側面のいずれの方向からも見えなくあるいは見え難くなり、空気調和機の室内機を設置する室内空間に調和したデザインを確保できる。
【００２９】
なお、以上説明した実施例では、空気調和機の室内機の前面パネル１０と開閉パネル３０の右端部分の合わせ目について説明したが、前面パネル１０と開閉パネル３０の左端部分の合わせ目についても、同様に構成される。ただし、構造は右端部分とは対称となる。また、以上説明した実施例では、開閉パネル３０にそれと二重構造となる吸込みグリル２０が付属する空気調和機の室内機について説明したが、吸込みグリル２０を用いない空気調和機の室内機について、前面パネルと開閉パネルの間の合わせ目の隙間を目立たなくする場合にも、同様に適用できることはもちろんである。
【符号の説明】
【００３０】
１：室内機
１０：前面パネル、１１：正面壁、１２Ａ：前面吸込口、１２Ｂ：上面吸込口、１３：下部吹出口、１４：外側壁、１５：せり出し部、１５ａ：前端部、１５ｂ：第１のテーパ部、１５ｃ：内側壁、１６：溝部、１７：角部、１８：軸受
２０：吸込グリル、２１：側端部、２３：開口部、２４：軸
３０：開閉パネル、３１：側壁、３１ａ：第２のテーパ部、３１ｂ：奥端部、３２：正面部、３３：第１の角部、３４：頂部、３３０：側端面
４０：フィルター
５０：開閉パネル駆動機構、５１：上アーム、５２：下アーム、５３：モータ、５４：回転軸
６０：風向板
７０：ケーシング
【図１】
0005510669.tif 000002
【図２】
0005510669.tif 000003
【図３】
0005510669.tif 000004
【図４】
0005510669.tif 000005
【図５】
0005510669.tif 000006